(57)【特許請求の範囲】
【請求項１】
所定の運用可能周波数範囲の中の少なくとも何れか１つの周波数を運用周波数として動作可能であるとともに、使用者の操作により前記運用周波数を変更する周波数変更手段と、前記周波数変更手段による運用周波数の変更範囲の制限の実行を指示する指示手段と、を備えた無線通信装置における周波数変更制御方法において、
予め、前記運用可能周波数範囲内で、それぞれの設定範囲上限周波数と設定範囲下限周波数とを設定して少なくとも１つの設定周波数範囲を設定しておき、
前記指示手段が使用者によって操作されて周波数変更範囲の制限の実行が指示されると、
現在の運用周波数が、何れかの設定周波数範囲内か否かを識別し、
何れかの設定周波数範囲内に含まれる場合には、さらに、前記設定周波数範囲を特定し、前記周波数変更手段による運用周波数の変更範囲を前記特定された設定周波数範囲内に制限し、
何れの設定周波数範囲内にも含まれない場合には、前記周波数変更手段による運用周波数の変更範囲を制限しないように制御することを特徴とする無線通信装置における周波数変更制御方法。
【請求項２】
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
現在の運用周波数が、何れかの設定周波数範囲内か否かを識別し、何れかの設定周波数範囲内に含まれる場合には、さらに、前記設定周波数範囲を特定する識別手段と、
周波数変更範囲の制限の実行を指示する指示手段と、
前記周波数変更手段による周波数の変更を前記設定周波数範囲内の変更に制限する周波数変更範囲制御手段と、を備え、
前記指示手段が使用者によって操作されて周波数変更範囲の制限の実行が指示されると、
前記識別手段は、
現在の運用周波数が、何れかの設定周波数範囲内か否かを識別し、
何れかの設定周波数範囲内に含まれる場合には、さらに、前記設定周波数範囲を特定し、前記周波数変更範囲制御手段は、周波数変更手段による運用周波数の変更範囲を前記特定された設定周波数範囲内に制限し、
何れの設定周波数範囲内にも含まれない場合には、周波数変更手段による運用周波数の変更範囲を制限しないことを特徴とする無線通信装置。
【請求項３】
前記周波数変更範囲制御手段は、
使用者が前記周波数変更手段を操作して、運用周波数をより高く変更するような指示を与えた場合に、変更すべき運用周波数が前記設定周波数範囲の設定範囲上限周波数以上になるときには、前記運用周波数を前記設定周波数範囲の設定範囲下限周波数に変更し、
使用者が前記周波数変更手段を操作して、運用周波数をより低く変更するような指示を与えた場合に、変更すべき運用周波数が前記設定周波数範囲の設定範囲下限周波数以下になるときには、前記運用周波数を前記設定周波数範囲の設定範囲上限周波数に変更することを特徴とする請求項２に記載の無線通信装置。
【請求項４】
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
前記設定手段で設定された少なくとも１つの設定周波数範囲のうちの何れか１つの範囲を使用者が選択して指定する指定手段と、
前記周波数変更手段による周波数の変更を前記設定周波数範囲内の変更に制限する周波数変更範囲制御手段と、
現在の運用周波数が、前記指定された設定周波数範囲内か否かを識別する識別手段と、を備え、
前記指定手段が使用者によって操作されて設定周波数範囲の何れかが指定されると、
前記識別手段は、現在の運用周波数が、前記指定された設定周波数範囲内か否かを識別し、
前記指定された設定周波数範囲内に含まれる場合には、さらに、
前記周波数変更範囲制御手段は、周波数変更手段による運用周波数の変更範囲を前記設定周波数範囲内に制限し、
前記設定周波数範囲内に含まれない場合には、周波数変更手段による運用周波数の変更範囲を制限しないことを特徴とする無線通信装置。
【請求項５】
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
前記設定手段で設定された少なくとも１つの設定周波数範囲のうちの何れか１つの範囲を使用者が選択して指定する指定手段と、
前記周波数変更手段による周波数の変更を前記設定周波数範囲内の変更に制限する周波数変更範囲制御手段と、
前記設定周波数範囲内の所望の周波数が、当該設定周波数範囲と関連付けされた指定周波数として記憶されている記憶手段と、
現在の運用周波数が、前記指定された設定周波数範囲内か否かを識別する識別手段と、を備え，
前記指定手段が使用者によって操作されて設定周波数範囲の何れかが指定されると、
前記識別手段は、現在の運用周波数が、前記指定された設定周波数範囲内か否かを識別し、前記指定された設定周波数範囲内に含まれる場合には、さらに、前記周波数変更範囲制御手段は、周波数変更手段による運用周波数の変更範囲を前記設定周波数範囲内に制限し、
前記設定周波数範囲内に含まれない場合には、前記周波数変更範囲制御手段は、現在の運用周波数を、前記記憶手段に記憶されている前記指定周波数に変更した上で、前記周波数変更手段による運用周波数の変更範囲を前記設定周波数範囲内に制限することを特徴とする無線通信装置。
【請求項６】
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
前記設定手段で設定された少なくとも１つの設定周波数範囲とそれぞれ対応させて設けられ、何れか１つの設定周波数範囲を使用者が選択して指定し得る少なくとも１つの指定手段と、
前記周波数変更手段による周波数の変更を前記設定周波数範囲内の変更に制限する周波数変更範囲制御手段と、
現在の運用周波数が、前記指定された設定周波数範囲内か否かを識別する識別手段と、を備え、
何れか１つの指定手段が使用者によって操作されて対応する何れか１つの設定周波数範囲が指定されると、
前記識別手段は、現在の運用周波数が、前記指定された設定周波数範囲内か否かを識別し、
前記指定された設定周波数範囲内に含まれる場合には、さらに、
前記周波数変更範囲制御手段は、周波数変更手段による運用周波数の変更範囲を前記設定周波数範囲内に制限し、
前記設定周波数範囲内に含まれない場合には、周波数変更手段による運用周波数の変更範囲を制限しないことを特徴とする無線通信装置。
【請求項７】
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
前記設定手段で設定された少なくとも１つの設定周波数範囲とそれぞれ対応させて設けられ、何れか１つの設定周波数範囲を使用者が選択して指定し得る少なくとも１つの指定手段と、
前記周波数変更手段による周波数の変更を前記設定周波数範囲内の変更に制限する周波数変更範囲制御手段と、
前記設定周波数範囲内の所望の周波数が、当該設定周波数範囲と関連付けされた指定周波数として記憶されている記憶手段と、
現在の運用周波数が、前記指定された設定周波数範囲内か否かを識別する識別手段と、を備え、
何れか１つの指定手段が使用者によって操作されて対応する何れか１つの設定周波数範囲が指定されると、
前記識別手段は、現在の運用周波数が、前記指定された設定周波数範囲内か否かを識別し、前記指定された設定周波数範囲内に含まれる場合には、さらに、前記周波数変更範囲制御手段は、周波数変更手段による運用周波数の変更範囲を前記設定周波数範囲内に制限し、
前記設定周波数範囲内に含まれない場合には、前記周波数変更範囲制御手段は、現在の運用周波数を、前記記憶手段に記憶されている前記指定周波数に変更した上で、前記周波数変更手段による運用周波数の変更範囲を前記設定周波数範囲内に制限することを特徴とする無線通信装置。
【発明の詳細な説明】
【技術分野】
【０００１】
本発明は、広い周波数範囲で運用可能な無線通信装置を、特定の周波数帯域内に制限して運用する技術に関するものである。
【背景技術】
【０００２】
広い周波数範囲で運用可能な無線通信装置において、運用周波数を変更する場合には、周波数変更用のダイアルもしくはスイッチを、周波数を高くする方向へ操作するか、低くする方向へ操作することが行われる。
このとき、周波数を高くする方向への操作を継続すると、運用周波数は変更し続けて、当該無線通信装置の運用可能な周波数範囲の上限まで上昇し続けることになる。周波数を低くする方向への操作を継続すると、運用周波数は変更し続けて、当該無線通信装置の運用可能な周波数範囲の下限まで降下し続けることになる。
しかし、実際の運用形態においては、ある程度の幅の周波数帯域を所望の周波数帯域として、その周波数帯域内で周波数を上げたり下げたりして、所望の信号を探すという操作が多く、その場合には、前記所望の信号が存在することが期待される特定の周波数帯域を指定して、その周波数帯域から逸脱しないように注意しながら周波数の変更操作をしなければならないので、所望の信号を探すという意識の集中と、周波数範囲から逸脱しないように意識するということを並行しなければならないので不便である。
【０００３】
なお、スキャン対象を指定することができるラジオ受信機として、特許文献１には、例えばＡＭバンド、エアーバンド、ＦＭバンド等のように複数の受信バンドを有し、プリセット用のメモリに、複数の受信周波数のデータをプリセットできると共に、このプリセットされている受信周波数のデータを順に取り出してプリセットされている受信周波数をスキャンするようにしたラジオ受信機において、上記スキャンを指定された受信バンド、例えばＡＭバンドだけをスキャンすることが可能なラジオ受信機が開示されている。
【先行技術文献】
【特許文献】
【０００４】
【特許文献１】特開昭６１−１６６２１３号公報
【発明の概要】
【発明が解決しようとする課題】
【０００５】
特許文献１に記載のラジオ受信機は、単に、スキャン対象を、複数のバンドのうち、例えばＡＭバンド、エアーバンド、ＦＭバンド等の何れかに指定して、指定したバンドでプリセットされた周波数のみを順次スキャンすることができるものであって、ある程度の幅の周波数帯域を所望の周波数帯域として、その周波数帯域内で周波数を上げたり下げたりして、所望の信号を探すという操作には不適である。
【課題を解決するための手段】
【０００６】
本発明の請求項１に係る無線通信装置における周波数変更制御方法は、
所定の運用可能周波数範囲の中の少なくとも何れか１つの周波数を運用周波数として動作可能であるとともに、使用者の操作により前記運用周波数を変更する周波数変更手段と、前記周波数変更手段による運用周波数の変更範囲の制限の実行を指示する指示手段と、を備えた無線通信装置における周波数変更制御方法において、
予め、前記運用可能周波数範囲内で、それぞれの設定範囲上限周波数と設定範囲下限周波数とを設定して少なくとも１つの設定周波数範囲を設定しておき、
前記指示手段が使用者によって操作されて周波数変更範囲の制限の実行が指示されると、
現在の運用周波数が、何れかの設定周波数範囲内か否かを識別し、
何れかの設定周波数範囲内に含まれる場合には、さらに、前記設定周波数範囲を特定し、前記周波数変更手段による運用周波数の変更範囲を前記特定された設定周波数範囲内に制限し、
何れの設定周波数範囲内にも含まれない場合には、前記周波数変更手段による運用周波数の変更範囲を制限しないように制御することを特徴としている。
本発明の請求項２に係る無線通信装置は、
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
現在の運用周波数が、何れかの設定周波数範囲内か否かを識別し、何れかの設定周波数範囲内に含まれる場合には、さらに、前記設定周波数範囲を特定する識別手段と、
周波数変更範囲の制限の実行を指示する指示手段と、
前記周波数変更手段による周波数の変更を前記設定周波数範囲内の変更に制限する周波数変更範囲制御手段と、を備え、
前記指示手段が使用者によって操作されて周波数変更範囲の制限の実行が指示されると、
前記識別手段は、
現在の運用周波数が、何れかの設定周波数範囲内か否かを識別し、
何れかの設定周波数範囲内に含まれる場合には、さらに、前記設定周波数範囲を特定し、前記周波数変更範囲制御手段は、周波数変更手段による運用周波数の変更範囲を前記特定された設定周波数範囲内に制限し、
何れの設定周波数範囲内にも含まれない場合には、周波数変更手段による運用周波数の変更範囲を制限しないことを特徴としている。
請求項３では、
前記周波数変更範囲制御手段は、
使用者が前記周波数変更手段を操作して、運用周波数をより高く変更するような指示を与えた場合に、変更すべき運用周波数が前記設定周波数範囲の設定範囲上限周波数以上になるときには、前記運用周波数を前記設定周波数範囲の設定範囲下限周波数に変更し、
使用者が前記周波数変更手段を操作して、運用周波数をより低く変更するような指示を与えた場合に、変更すべき運用周波数が前記設定周波数範囲の設定範囲下限周波数以下になるときには、前記運用周波数を前記設定周波数範囲の設定範囲上限周波数に変更することを特徴としている。
請求項４に係る無線通信装置は、
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
前記設定手段で設定された少なくとも１つの設定周波数範囲のうちの何れか１つの範囲を使用者が選択して指定する指定手段と、
前記周波数変更手段による周波数の変更を前記設定周波数範囲内の変更に制限する周波数変更範囲制御手段と、
現在の運用周波数が、前記指定された設定周波数範囲内か否かを識別する識別手段と、を備え、
前記指定手段が使用者によって操作されて設定周波数範囲の何れかが指定されると、
前記識別手段は、現在の運用周波数が、前記指定された設定周波数範囲内か否かを識別し、
前記指定された設定周波数範囲内に含まれる場合には、さらに、
前記周波数変更範囲制御手段は、周波数変更手段による運用周波数の変更範囲を前記設定周波数範囲内に制限し、
前記設定周波数範囲内に含まれない場合には、周波数変更手段による運用周波数の変更範囲を制限しないことを特徴としている。
請求項５に係る無線通信装置は、
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
前記設定手段で設定された少なくとも１つの設定周波数範囲のうちの何れか１つの範囲を使用者が選択して指定する指定手段と、
前記周波数変更手段による周波数の変更を前記設定周波数範囲内の変更に制限する周波数変更範囲制御手段と、
前記設定周波数範囲内の所望の周波数が、当該設定周波数範囲と関連付けされた指定周波数として記憶されている記憶手段と、
現在の運用周波数が、前記指定された設定周波数範囲内か否かを識別する識別手段と、を備え，
前記指定手段が使用者によって操作されて設定周波数範囲の何れかが指定されると、
前記識別手段は、現在の運用周波数が、前記指定された設定周波数範囲内か否かを識別し、前記指定された設定周波数範囲内に含まれる場合には、さらに、前記周波数変更範囲制御手段は、周波数変更手段による運用周波数の変更範囲を前記設定周波数範囲内に制限し、
前記設定周波数範囲内に含まれない場合には、前記周波数変更範囲制御手段は、現在の運用周波数を、前記記憶手段に記憶されている前記指定周波数に変更した上で、前記周波数変更手段による運用周波数の変更範囲を前記設定周波数範囲内に制限することを特徴としている。
請求項６に係る無線通信装置は、
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
前記設定手段で設定された少なくとも１つの設定周波数範囲とそれぞれ対応させて設けられ、何れか１つの設定周波数範囲を使用者が選択して指定し得る少なくとも１つの指定手段と、
前記周波数変更手段による周波数の変更を前記設定周波数範囲内の変更に制限する周波数変更範囲制御手段と、
現在の運用周波数が、前記指定された設定周波数範囲内か否かを識別する識別手段と、を備え、
何れか１つの指定手段が使用者によって操作されて対応する何れか１つの設定周波数範囲が指定されると、
前記識別手段は、現在の運用周波数が、前記指定された設定周波数範囲内か否かを識別し、
前記指定された設定周波数範囲内に含まれる場合には、さらに、
前記周波数変更範囲制御手段は、周波数変更手段による運用周波数の変更範囲を前記設定周波数範囲内に制限し、
前記設定周波数範囲内に含まれない場合には、周波数変更手段による運用周波数の変更範囲を制限しないことを特徴としている。
請求項７に係る無線通信装置は、
所定の運用可能周波数範囲の中の少なくとも何れか１つの周波数を運用周波数として動作可能であるとともに、使用者の操作により前記運用周波数を変更する周波数変更手段を備えた無線通信装置において、
前記運用可能周波数範囲内で、それぞれの設定範囲上限周波数と設定範囲下限周波数とを設定して少なくとも１つの設定周波数範囲を設定する設定手段と、
前記設定手段で設定された少なくとも１つの設定周波数範囲とそれぞれ対応させて設けられ、何れか１つの設定周波数範囲を使用者が選択して指定し得る少なくとも１つの指定手段と、
前記周波数変更手段による周波数の変更を前記設定周波数範囲内の変更に制限する周波数変更範囲制御手段と、
前記設定周波数範囲内の所望の周波数が、当該設定周波数範囲と関連付けされた指定周波数として記憶されている記憶手段と、
現在の運用周波数が、前記指定された設定周波数範囲内か否かを識別する識別手段と、を備え、
何れか１つの指定手段が使用者によって操作されて対応する何れか１つの設定周波数範囲が指定されると、
前記識別手段は、現在の運用周波数が、前記指定された設定周波数範囲内か否かを識別し、前記指定された設定周波数範囲内に含まれる場合には、さらに、前記周波数変更範囲制御手段は、周波数変更手段による運用周波数の変更範囲を前記設定周波数範囲内に制限し、
前記設定周波数範囲内に含まれない場合には、前記周波数変更範囲制御手段は、現在の運用周波数を、前記記憶手段に記憶されている前記指定周波数に変更した上で、前記周波数変更手段による運用周波数の変更範囲を前記設定周波数範囲内に制限することを特徴としている。
【発明の効果】
【０００７】
本発明の請求項１に係る無線通信装置における周波数変更制御方法では、
予め、運用可能周波数範囲内で、それぞれの設定範囲上限周波数と設定範囲下限周波数とを設定して少なくとも１つの設定周波数範囲を設定しておき、
指示手段が使用者によって操作されて周波数変更範囲の制限の実行が指示されると、
現在の運用周波数が、何れかの設定周波数範囲内か否かを識別し、
何れかの設定周波数範囲内に含まれる場合には、さらに、設定周波数範囲を特定し、周波数変更手段による運用周波数の変更範囲を特定された設定周波数範囲内に制限し、
何れの設定周波数範囲内にも含まれない場合には、周波数変更手段による運用周波数の変更範囲を制限しないように制御するので、
周波数変更手段による運用周波数の変更範囲を特定された設定周波数範囲内に制限して運用すると、特別に意識していなくても、設定周波数範囲から運用周波数が意図せずに逸脱することを防止することができ、優れた操作性が得られる。
本発明の請求項２に係る無線通信装置は、
運用可能周波数範囲内で、それぞれの設定範囲上限周波数と設定範囲下限周波数とを設定して少なくとも１つの設定周波数範囲を設定する設定手段と、
現在の運用周波数が、何れかの設定周波数範囲内か否かを識別し、何れかの設定周波数範囲内に含まれる場合には、さらに、設定周波数範囲を特定する識別手段と、
周波数変更範囲の制限の実行を指示する指示手段と、
周波数変更手段による周波数の変更を設定周波数範囲内の変更に制限する周波数変更範囲制御手段と、を備え、
指示手段が使用者によって操作されて周波数変更範囲の制限の実行が指示されると、
識別手段は、
現在の運用周波数が、何れかの設定周波数範囲内か否かを識別し、
何れかの設定周波数範囲内に含まれる場合には、さらに、設定周波数範囲を特定し、周波数変更範囲制御手段は、周波数変更手段による運用周波数の変更範囲を特定された設定周波数範囲内に制限し、
何れの設定周波数範囲内にも含まれない場合には、周波数変更手段による運用周波数の変更範囲を制限しないので、
周波数変更範囲制御手段によって運用周波数の変更範囲を特定された設定周波数範囲内に制限して運用すると、特別に意識していなくても、設定周波数範囲から運用周波数が意図せずに逸脱することを防止することができ、優れた操作性が得られる。
請求項３では、
周波数変更範囲制御手段は、
使用者が周波数変更手段を操作して、運用周波数をより高く変更するような指示を与えた場合に、変更すべき運用周波数が設定周波数範囲の設定範囲上限周波数以上になるときには、運用周波数を設定周波数範囲の設定範囲下限周波数に変更し、
使用者が周波数変更手段を操作して、運用周波数をより低く変更するような指示を与えた場合に、変更すべき運用周波数が設定周波数範囲の設定範囲下限周波数以下になるときには、運用周波数を設定周波数範囲の設定範囲上限周波数に変更するので、運用周波数の変更範囲を特定された設定周波数範囲内に制限して、運用周波数がループするように変更され、さらに優れた操作性が得られる。
請求項４では、
指定手段が使用者によって操作されて周波数変更範囲の何れかが指定されると、
現在の運用周波数が、指定された設定周波数範囲内に含まれる場合には、運用周波数の変更範囲を前記設定周波数範囲内に制限するので、優れた操作性が得られる。
請求項５では、
設定周波数範囲内の所望の周波数が、当該設定周波数範囲と関連付けされて指定周波数として記憶されているので、
使用者によって周波数変更範囲の何れかが指定されると、
設定周波数範囲内に含まれない場合には、現在の運用周波数を、記憶手段に記憶されている指定周波数に変更した上で、周波数変更手段による運用周波数の変更範囲を前記設定周波数範囲内に制限することにより、
現在の運用周波数が、設定周波数範囲内に含まれない場合でも優れた操作性が得られる。
請求項６の無線通信装置では、
設定手段で設定された少なくとも１つの設定周波数範囲とそれぞれ対応させて設けられ、何れか１つの設定周波数範囲を使用者が選択して指定し得る少なくとも１つの指定手段を備えたので、
複数の設定周波数範囲を設定した場合でも、何れか１つの設定周波数範囲の指定が容易であり、周波数変更手段による運用周波数の変更範囲を前記設定周波数範囲内に制限するので、優れた操作性が得られる。
請求項７の無線通信装置では、
設定手段で設定された少なくとも１つの設定周波数範囲とそれぞれ対応させて設けられ、何れか１つの設定周波数範囲を使用者が選択して指定し得る少なくとも１つの指定手段を設け、
設定周波数範囲内の所望の周波数が、当該設定周波数範囲と関連付けされて指定周波数として記憶されているので、
複数の設定周波数範囲を設定した場合でも、何れか１つの設定周波数範囲の指定が容易であり、周波数変更手段による運用周波数の変更範囲を前記設定周波数範囲内に制限するので、優れた操作性が得られる。
【図面の簡単な説明】
【０００８】
【図１】本発明の実施例１に係る無線受信機のブロック図である。
【図２】前記無線受信機の運用可能周波数範囲内に設定された設定周波数範囲を説明する図である。
【図３】実施例１に係る無線受信機の特徴的な動作を説明するフローチャートである。
【図４】実施例２に係る無線受信機の特徴的な動作を説明するフローチャートである。
【図５】実施例３に係る無線受信機の特徴的な動作を説明するフローチャートである。
【図６】実施例４に係る無線受信機において設定された指定周波数を説明する図である。
【図７】実施例４に係る無線受信機の特徴的な動作を説明するフローチャートである。
【図８】実施例５に係る無線受信機の操作部の説明図である。
【発明を実施するための形態】
【０００９】
以下においては、本発明に係る無線通信装置において周波数変更制御方法を実施するための形態を、図面を参照して詳細に説明する。
図１において、１は広帯域の無線受信機であり、アンテナ１１、受信部１２、低周波増幅部１３、スピーカ１４、制御部３、操作部４、記憶部５を備えている。
前記受信部１２は、制御部３からの周波数制御信号に基づいて、アンテナ１１から入力された高周波信号の中から同調して選択すべき動作周波数を決定する。
前記制御部３は、前記無線受信機１を全体的に制御するとともに、特に、使用者が、前記操作部４の操作ボタン等を操作して入力する各種操作情報に基づいて、所定の制御信号を前記無線受信機１の各部に出力して、所定の動作が行われるように制御する。
【００１０】
前記操作部４は、メインダイヤル４１、テンキースイッチ４２、アップスイッチ４３、ダウンスイッチ４４、ボリューム４５、設定スイッチ４６、指示スイッチ４７、指定スイッチ４８、その他の機能スイッチ等を備えている。
前記メインダイヤル４１は、回転可能なダイヤルとロータリーエンコーダを備えており、動作周波数を変更するモードのときに、右回転させると前記受信部１２における動作周波数を現在の動作周波数より高く変更し、左回転させると動作周波数をより低く変更するような操作信号を前記制御部３へ出力する。
前記テンキースイッチ４２は、「０」から「９」までの１０個のキーと、小数点キー、エンターキーなど複数のボタンスイッチから構成され、動作周波数などを直接数値入力することができる。
【００１１】
前記アップスイッチ４３は、動作周波数や、後述する上限周波数や下限周波数等を設定する場合に、それらの設定周波数を、現在表示されている数値より高く変更するボタンスイッチである。
前記ダウンスイッチ４４は、動作周波数や前記設定周波数を、現在表示されている数値より低く変更するボタンスイッチである。
前記ボリューム４５は、スピーカから出力される音量を調整するツマミである。
前記設定スイッチ４６は、設定周波数範囲を設定するモードに移行して、その設定周波数範囲の上限周波数と下限周波数とを設定するボタンスイッチである。
前記指示スイッチ４７は、周波数変更範囲の制限を実行を指示するボタンスイッチである。
前記指定スイッチ４８は、実施例３、４において、設定周波数範囲を指定するために用いるボタンスイッチである。
【００１２】
前記無線受信機１の運用可能な周波数範囲は、図２に示した例のように、運用下限周波数ｆminから運用上限周波数ｆmaxまでである。前記運用下限周波数ｆminから運用上限周波数ｆmaxまでの範囲が、特許請求の範囲に記載された運用可能周波数範囲に対応している。
【実施例１】
【００１３】
前記運用可能周波数範囲内で、図２に示したような４つの周波数範囲を設定周波数範囲として設定する場合を例にとって、実施例１の設定の手順と動作を説明する。
まず、周波数ｆ10から周波数ｆ11までの周波数範囲を第１設定周波数範囲Ｗ１として設定する場合には、以下のように操作する。
まず、前記メインダイヤルもしくはアップスイッチもしくはダウンスイッチを適宜操作して、動作周波数が前記周波数ｆ10となるように調整する。動作周波数を前記周波数ｆ10に調整した状態で前記設定スイッチ４６を押すと、前記周波数ｆ10が第１の設定範囲下限周波数として設定され、続いて、前記メインダイヤルもしくはアップキーを適宜操作して、動作周波数が前記周波数ｆ11となるように調整した状態で、前記設定スイッチ４６を押すと、前記周波数ｆ11が第１の設定範囲上限周波数として設定される。
以上の操作で、第１の設定範囲下限周波数ｆ10から第１の設定範囲上限周波数ｆ11までの周波数範囲を第１設定周波数範囲Ｗ１として設定する。
【００１４】
同様にして、第２の設定範囲下限周波数ｆ20から第２の設定範囲上限周波数ｆ21までの周波数範囲を第２設定周波数範囲Ｗ２として設定し、第３の設定範囲下限周波数ｆ30から第３の設定範囲上限周波数ｆ31までの周波数範囲を第３設定周波数範囲Ｗ３として設定し、第４の設定範囲下限周波数ｆ40から第４の設定範囲上限周波数ｆ41までの周波数範囲を第４設定周波数範囲Ｗ４として設定する。
【００１５】
現在の運用周波数が例えば前記第２設定周波数範囲Ｗ２内にある周波数ｆａで受信動作中に、周波数変更操作がなされた場合の動作を、図３を参照しながら、以下に説明する。
ステップＳ１では、当該無線受信機１が運用可能周波数範囲内の周波数ｆａで受信動作中に、前記メインダイヤル４１もしくは前記アップスイッチ４３もしくは前記ダウンスイッチ４４の何れかが操作されて、周波数を変更する操作が行われたか否かを監視し、周波数を変更する操作が行われない場合には、ステップＳ１をループするが、周波数を変更する操作が行われたことを検知すると、ステップＳ２に進む。
ステップＳ２では、現在の運用周波数が前記４つの設定周波数範囲の何れかの範囲内であるか否かをチェックする。
【００１６】
ここでのチェックは、例えば、現在の運用可能周波数ｆａが、第１の設定範囲下限周波数ｆ10から第１の設定範囲上限周波数ｆ11までの範囲内であるか否か、第２の設定範囲下限周波数ｆ20から第２の設定範囲上限周波数ｆ21までの範囲内であるか否か、第３の設定範囲下限周波数ｆ30から第３の設定範囲上限周波数ｆ31までの範囲内であるか否か、第４の設定範囲下限周波数ｆ40から第４の設定範囲上限周波数ｆ41までの範囲内であるか否かをチェックする。
【００１７】
現在の運用可能周波数ｆａが何れの設定周波数範囲内でもない場合には、普通の周波数変更操作と同じように、ステップＳ３で変更予定周波数を計算する。例えば、周波数を現在の運用周波数ｆａより高くする操作が行われた場合には、変更予定周波数ｆｍを、現在の運用周波数ｆａに最小周波数変更ステップｄを加算した周波数ｆａ＋ｄと計算する。
ステップＳ４では、前記計算した変更予定周波数ｆｍ（＝ｆａ＋ｄ）を新しい運用周波数として設定することによって、運用周波数を変更して受信を継続する。
以上の動作は、従来の普通の周波数変更操作の場合と同様の動作である。
【００１８】
前記ステップＳ２において、現在の運用周波数が前記４つの設定周波数範囲の何れかの範囲内である場合には、何れの設定周波数範囲内であるかを特定する。以上の例では、現在の運用周波数ｆａが第２設定周波数範囲Ｗ２に含まれていることを特定する。
ステップＳ５では、変更予定周波数を計算する。例えば、周波数を現在の運用周波数ｆａより高くする操作が行われた場合には、変更予定周波数ｆｍを、現在の運用周波数ｆａに最小周波数変更ステップｄを加算した周波数ｆａ＋ｄと計算する。
【００１９】
ステップＳ６においては、前記計算した変更予定周波数ｆｍ（＝ｆａ＋ｄ）が、前記第２設定周波数範囲Ｗ２の範囲内に収まるか否かを判断する。例えば、前記計算した変更予定周波数ｆｍ（＝ｆａ＋ｄ）を第２の設定範囲上限周波数ｆ21と比較する。
以上の例では、周波数を高くする操作を行った場合であるので、第２の設定範囲上限周波数と比較するが、周波数を低くする操作を行った場合には、ステップＳ６では、第２の設定範囲下限周波数と比較する。
【００２０】
ステップＳ６において、前記計算した変更予定周波数ｆｍ（＝ｆａ＋ｄ）が、前記第２設定周波数範囲Ｗ２の設定範囲上限周波数以上でもなく、また、設定範囲下限周波数以下でもない場合には、ステップＳ７に進んで、普通の周波数変更操作の場合と同様に、前記計算した変更予定周波数ｆｍ（＝ｆａ＋ｄ）を新しい運用周波数として設定することによって、運用周波数を変更して受信を継続する。
【００２１】
ステップＳ６において、前記計算した変更予定周波数ｆｍ（＝ｆａ＋ｄ）が、前記第２設定周波数範囲Ｗ２の設定範囲上限周波数以上、または、設定範囲下限周波数以下である場合には、ステップＳ８に進んで、周波数変更の制限機能のオン／オフ状態をチェックする。
ステップＳ８では、前記指示キー４７が押されて制限機能がオンになっているか、前記指示キー４７が再度押されて制限機能がオフになっているかをチェックし、オフになっていれば、ステップＳ７へ進んで、普通の周波数変更操作の場合と同様に、前記計算した変更予定周波数ｆｍ（＝ｆａ＋ｄ）を新しい運用周波数として設定することによって、運用周波数を変更して受信する。なお、この場合には、運用周波数は、前記第２設定周波数範囲Ｗ２から逸脱することになる。
【００２２】
前記ステップＳ８で、制限機能がオンになっていることを確認した場合には、ステップＳ９へ進んで、以下のように、運用可能周波数の変更範囲を制限する制限機能に基づいた動作を行う。
ステップＳ９では、前記計算した変更予定周波数ｆｍ（＝ｆａ＋ｄ）が前記上限周波数以上になる場合には運用周波数を設定範囲上限周波数に設定するとともに、設定周波数範囲の上限になっている状態を所定の音や光で使用者に報知して、受信を継続する。
また、前記計算した変更予定周波数ｆｍ（＝ｆａ＋ｄ）が前記設定範囲下限周波数以下になる場合には運用周波数を設定範囲下限周波数に設定するとともに、設定周波数範囲の上限になっている状態を所定の音や光で使用者に報知して、受信を継続する。
【００２３】
このように運用周波数の変更範囲を制限することによって、前記設定周波数範囲を逸脱することなく運用を継続することができるのである。
以上の、実施例１では、現在の運用周波数が何れかの設定周波数範囲内にあるときに、指示スイッチ４７を操作することで、当該設定周波数範囲内での制限機能をオンにして、前記設定周波数範囲から運用周波数が逸脱しないようにして、受信を継続することができるのである。
【実施例２】
【００２４】
以下においては、本発明の実施例２に係る無線受信機１の動作を、図１、２、４を参照して説明する。
なお、以下においては、現在の運用周波数が例えば前記第２設定周波数範囲Ｗ２内にある周波数ｆａで受信動作中に、周波数変更操作がなされた場合の動作を例にとって説明する。
ステップＳ４１では、当該無線受信機１が運用可能周波数範囲内の周波数ｆａで受信動作中に、前記メインダイヤル４１もしくは前記アップスイッチ４３もしくは前記ダウンスイッチ４４の何れかが操作されて、周波数を変更する操作が行われたか否かを監視し、周波数を変更する操作が行われない場合には、ステップＳ４１をループするが、周波数を変更する操作が行われたことを検知すると、ステップＳ４２に進む。
ステップＳ４２では、現在の運用周波数が前記４つの設定周波数範囲の何れかの範囲内であるか否かをチェックする。
【００２５】
ここでのチェックは、例えば、現在の運用可能周波数ｆａが、第１の設定範囲下限周波数ｆ10から第１の設定範囲上限周波数ｆ11までの範囲内であるか否か、第２の設定範囲下限周波数ｆ20から第２の設定範囲上限周波数ｆ21までの範囲内であるか否か、第３の設定範囲下限周波数ｆ30から第３の設定範囲上限周波数ｆ31までの範囲内であるか否か、第４の設定範囲下限周波数ｆ40から第４の設定範囲上限周波数ｆ41までの範囲内であるか否かをチェックする。
【００２６】
現在の運用可能周波数ｆａが何れの設定周波数範囲内でもない場合には、普通の周波数変更操作と同じように、ステップＳ４３で変更予定周波数を計算する。例えば、周波数を現在の運用周波数ｆａより高くする操作が行われた場合には、変更予定周波数ｆｍを、現在の運用周波数ｆａに最小周波数変更ステップｄを加算した周波数ｆａ＋ｄと計算する。
ステップＳ４４では、前記計算した変更予定周波数ｆｍ（＝ｆａ＋ｄ）を新しい運用周波数として設定することによって、運用周波数を変更して受信を継続する。
以上の動作は、従来の普通の周波数変更操作の場合と同様の動作である。
【００２７】
前記ステップＳ４２において、現在の運用周波数が前記４つの設定周波数範囲の何れかの範囲内である場合には、何れの設定周波数範囲内であるかを特定する。以上の例では、現在の運用周波数ｆａが第２設定周波数範囲Ｗ２に含まれていることを特定する。
ステップＳ４５では、変更予定周波数を計算する。例えば、周波数を現在の運用周波数ｆａより高くする操作が行われた場合には、変更予定周波数ｆｍを、現在の運用周波数ｆａに最小周波数変更ステップｄを加算した周波数ｆａ＋ｄと計算する。
【００２８】
ステップＳ４６においては、前記計算した変更予定周波数ｆｍ（＝ｆａ＋ｄ）が、前記第２設定周波数範囲Ｗ２の範囲内に収まるか否かを判断する。例えば、前記計算した変更予定周波数ｆｍ（＝ｆａ＋ｄ）を第２の設定範囲上限周波数ｆ21と比較する。
以上の例では、周波数を高くする操作を行った場合であるので、第２の設定範囲上限周波数と比較するが、周波数を低くする操作を行った場合には、ステップＳ４６では、第２の設定範囲下限周波数と比較する。
【００２９】
ステップＳ４６において、前記計算した変更予定周波数ｆｍ（＝ｆａ＋ｄ）が、前記第２設定周波数範囲Ｗ２の設定範囲上限周波数以上でもなく、また、設定範囲下限周波数以下でもない場合には、ステップＳ４７に進んで、普通の周波数変更操作の場合と同様に、前記計算した変更予定周波数ｆｍ（＝ｆａ＋ｄ）を新しい運用周波数として設定することによって、運用周波数を変更して受信を継続する。
【００３０】
ステップＳ４６において、前記計算した変更予定周波数ｆｍ（＝ｆａ＋ｄ）が、前記第２設定周波数範囲Ｗ２の設定範囲上限周波数以上、または、設定範囲下限周波数以下である場合には、ステップＳ４８に進んで、周波数変更の制限機能のオン／オフ状態をチェックする。
ステップＳ４８では、前記指示キー４７が押されて制限機能がオンになっているか、前記指示キー４７が再度押されて制限機能がオフになっているかをチェックし、オフになっていれば、ステップＳ４７へ進んで、普通の周波数変更操作の場合と同様に、前記計算した変更予定周波数ｆｍ（＝ｆａ＋ｄ）を新しい運用周波数として設定することによって、運用周波数を変更して受信する。なお、この場合には、運用周波数は、前記第２設定周波数範囲Ｗ２から逸脱することになる。
【００３１】
前記ステップＳ４８で、制限機能がオンになっていることを確認した場合には、ステップＳ４９へ進んで、以下のように、運用可能周波数の変更範囲を制限する制限機能に基づいた動作を行う。
ステップＳ４９では、前記計算した変更予定周波数ｆｍ（＝ｆａ＋ｄ）が前記設定範囲上限周波数以上になる場合には運用周波数を設定範囲下限周波数に設定し、前記計算した変更予定周波数ｆｍ（＝ｆａ＋ｄ）が前記設定範囲下限周波数以下になる場合には運用周波数を設定範囲上限周波数に設定して、受信を継続する。
【００３２】
このように運用周波数の変更範囲を制限することによって、前記設定周波数範囲を逸脱することなく、前記設定周波数範囲内をループする状態で運用周波数を変更することができるのである。
なお、制限機能がオンの状態で運用中に、前記指示キー４７を再度押すなどの所定の操作を行うことによって、いつでもループ状態から脱出することができる。
【００３３】
以上の実施例２では、現在の運用周波数が何れかの設定周波数範囲内にあるときに、指示スイッチ４７を操作することで、当該設定周波数範囲内での制限機能をオンにして、前記設定周波数範囲内でループする状態で運用周波数を変更することができるのである。
実施例２の場合は、指示スイッチ４７を操作することによって、当該設定周波数範囲内での制限機能をオンオフするように構成されており、運用周波数がどの設定周波数範囲内にあってもその設定周波数範囲内での制限機能がオンになる構成である。なお、運用周波数が何れの設定周波数範囲内にもない場合には、運用周波数が何れかの設定周波数範囲内に移動した後に制限機能がオンになる。
【実施例３】
【００３４】
以下に説明する実施例３の場合には、指定スイッチ４８で指定した特定の設定周波数範囲内においてのみ、周波数変更範囲の制限機能をオンにするように構成されている。
運用周波数が何れかの設定周波数範囲内にあってもその設定周波数範囲が指定スイッチ４８で指定されていなければ制限機能はオンにはならない。そして、運用周波数が前記指定された設定周波数範囲内にない場合には、運用周波数が前記指定された設定周波数範囲内に移動した後に制限機能がオンになる。
【００３５】
図１に示した指定スイッチ４８が使用者によって操作されて、予め設定された複数の設定周波数範囲のうち、何れか１つの設定周波数範囲が指定された場合の動作を、図１、２、５を参照して説明する。
使用者が、前記指定スイッチ４８によって、例えば、図２に示した設定周波数範囲Ｗ２を指定し、前記操作部４の複数のスイッチの組み合わせ操作など、予め決められた所定の操作を行うことによって、前記指定した設定周波数範囲Ｗ２内で周波数変更範囲の制限機能をオンにした後、周波数変更の操作を行った場合の動作を説明する。なお、図５を参照した以下の説明において、図４の説明と同様の動作については、詳細な説明を省略した。
【００３６】
図５のステップＳ５１では、当該無線受信機１が運用可能周波数範囲内の周波数ｆａで受信動作中に、前記メインダイヤル４１もしくは前記アップスイッチ４３もしくは前記ダウンスイッチ４４の何れかが操作されて、周波数を変更する操作が行われたか否かを監視し、周波数を変更する操作が行われない場合には、ステップＳ５１をループするが、周波数を変更する操作が行われたことを検知すると、ステップＳ５２に進む。
ステップＳ５２では、現在の運用周波数が前記４つの設定周波数範囲のうち、前記指定された２番目の設定周波数範囲Ｗ２の範囲内であるか否かをチェックする。
【００３７】
ここでのチェックは、現在の運用可能周波数ｆａが、第２の設定範囲下限周波数ｆ20から第２の設定範囲上限周波数ｆ21までの範囲内であるか否かをチェックする。
【００３８】
現在の運用可能周波数ｆａが、前記指定された設定周波数範囲Ｗ２の範囲内でない場合には、普通の周波数変更操作と同じように、ステップＳ５３で変更予定周波数を計算し、ステップＳ５４では、前記計算した変更予定周波数を新しい運用周波数として設定することによって、運用周波数を変更して受信を継続する。
【００３９】
前記ステップＳ５２において、現在の運用周波数が前記指定された設定周波数範囲Ｗ２の範囲内である場合には、ステップＳ５５に進んで、変更予定周波数を計算する。
【００４０】
ステップＳ５６においては、前記計算した変更予定周波数が、前記第２設定周波数範囲Ｗ２の範囲内に収まるか否かを判断する。
【００４１】
ステップＳ５６において、前記計算した変更予定周波数が、前記第２設定周波数範囲Ｗ２の設定範囲上限周波数以上でもなく、また、設定範囲下限周波数以下でもない場合には、ステップＳ５７に進んで、普通の周波数変更操作の場合と同様に、前記計算した変更予定周波数を新しい運用周波数として設定することによって、運用周波数を変更して受信を継続する。
【００４２】
ステップＳ５６において、前記計算した変更予定周波数が、前記第２設定周波数範囲Ｗ２の設定範囲上限周波数以上、または、設定範囲下限周波数以下である場合には、ステップＳ５８に進む。
【００４３】
ステップＳ５８では、以下のように、運用可能周波数の変更範囲を制限する制限機能に基づいた動作を行う。
ステップＳ５８では、前記計算した変更予定周波数が前記設定範囲上限周波数以上になる場合には運用周波数を設定範囲下限周波数に設定し、前記計算した変更予定周波数が前記設定範囲下限周波数以下になる場合には運用周波数を設定範囲上限周波数に設定して、ステップＳ５１に戻り、受信を継続する。
【００４４】
このように運用周波数の変更範囲を制限することによって、前記指定された第２設定周波数範囲Ｗ２を逸脱することなく、前記指定された第２設定周波数範囲Ｗ２内をループする状態で運用周波数を変更することができるのである。
【実施例４】
【００４５】
前述した実施例３では、現在の運用周波数が、指定された設定周波数範囲内にある場合には、周波数変更の制限機能がオンになるが、現在の運用周波数が、指定された設定周波数範囲外の場合には、周波数変更の制限機能はオンにならない。
したがって、現在の運用周波数が、使用者が周波数変更の制限機能を希望する設定周波数範囲外の場合には、使用者は、現在の運用周波数を一旦前記希望する設定周波数範囲内に変更してから、指定スイッチ４８を操作しなければならないので、若干の手間がかかる。
【００４６】
そこで、実施例４では、現在の運用周波数が、使用者が周波数変更の制限機能を希望する設定周波数範囲外の場合であっても、使用者が希望する設定周波数範囲を指定するだけで、現在の運用周波数が自動的に前記希望する設定周波数範囲内に移動して、当該設定周波数範囲内で周波数変更の制限機能がオンになるように構成した。
【００４７】
図１に示した指定スイッチ４８が使用者によって操作されて、予め設定された複数の設定周波数範囲のうち、何れか１つの設定周波数範囲が指定された場合の、実施例４の動作を、図１、６、７を参照して説明する。
実施例４では、図６に示したように、
第１の設定周波数範囲Ｗ１の範囲内に、当該設定周波数範囲と関連付けされた第１の指定周波数ｆｗ１が予め設定され、
第２の設定周波数範囲Ｗ２の範囲内に、当該設定周波数範囲と関連付けされた第２の指定周波数ｆｗ２が予め設定され、
第３の設定周波数範囲Ｗ３の範囲内に、当該設定周波数範囲と関連付けされた第３の指定周波数ｆｗ３が予め設定され、
第４の設定周波数範囲Ｗ４の範囲内に、当該設定周波数範囲と関連付けされた第４の指定周波数ｆｗ４が予め設定され、
これらの指定周波数は前記記憶部５に予め記憶されている。
【００４８】
使用者が、予め決められた所定の操作を行うことによって、例えば、図２に示した設定周波数範囲Ｗ２を指定した後、周波数変更の操作を行った場合の動作を説明する。なお、図７を参照した以下の説明において、図５の説明と同様の動作については、詳細な説明を省略した。
当該無線受信機１が、例えば、運用可能周波数範囲内に設定された第２の設定周波数範囲Ｗ２内の周波数ｆａで受信動作中に、前記指定スイッチ４８が操作されて、前記４つの設定周波数範囲のうち、前記第４の設定周波数範囲Ｗ４が指定されると、図７のステップＳ７１では、当該第４の設定周波数範囲と関連付けされた第４の指定周波数ｆｗ４を、前記記憶部５から読み込む。
ステップＳ７２では、現在の運用周波数を、前記第４の指定周波数ｆｗ４に変更する。
【００４９】
ステップＳ７３では、前記メインダイヤル４１もしくは前記アップスイッチ４３もしくは前記ダウンスイッチ４４の何れかが操作されて、周波数を変更する操作が行われたか否かを監視し、周波数を変更する操作が行われない場合には、ステップＳ７３をループするが、周波数を変更する操作が行われたことを検知すると、ステップＳ７４に進む。
ステップＳ７４では、変更予定周波数を計算して、ステップＳ７５へ進む。
ステップＳ７５において、前記計算した変更予定周波数が、前記第４の設定周波数範囲Ｗ４の設定範囲上限周波数以上でもなく、また、設定範囲下限周波数以下でもない場合には、ステップＳ７６に進んで、普通の周波数変更操作の場合と同様に、前記計算した変更予定周波数を新しい運用周波数として設定することによって、運用周波数を変更して受信を継続する。
【００５０】
ステップＳ７５において、前記計算した変更予定周波数が、前記第４の設定周波数範囲Ｗ４の設定範囲上限周波数以上、または、設定範囲下限周波数以下である場合には、ステップＳ７７に進む。
【００５１】
ステップＳ７７では、以下のように、運用可能周波数の変更範囲を制限する制限機能に基づいた動作を行う。
ステップＳ７７では、前記計算した変更予定周波数が前記設定範囲上限周波数以上になる場合には運用周波数を設定範囲下限周波数に設定し、前記計算した変更予定周波数が前記設定範囲下限周波数以下になる場合には運用周波数を設定範囲上限周波数に設定して、ステップＳ７３に戻り、受信を継続する。
【００５２】
このように運用周波数の変更範囲を制限することによって、前記指定された第４の設定周波数範囲Ｗ４を逸脱することなく、前記指定された第４の設定周波数範囲Ｗ４内をループする状態で運用周波数を変更することができるのである。
【００５３】
なお、前記指定スイッチ４８によって別の設定周波数範囲が指定されると、その設定周波数範囲と関連付けされた指定周波数に移動して、上記同様に動作する。
そして、前記指定スイッチ４８による第２の設定周波数範囲の指定が解除されると、例えば図４に示された実施例２と同様の動作に戻る。
【実施例５】
【００５４】
前記指定スイッチは、１つに限らず、複数設けて、それぞれの指定スイッチを複数の設定周波数範囲に対応させてもよい。
以下に説明する実施例５では、図８に示したように、４つの指定スイッチ４８１、４８２、４８３、４８４を設け、これらの４つの指定スイッチ４８１、４８２、４８３、４８４をそれぞれ第１の設定周波数範囲Ｗ１、第２の設定周波数範囲Ｗ２、第３の設定周波数範囲Ｗ３、第４の設定周波数範囲Ｗ４に対応させている。
また、各指定スイッチは、連続して押し続ける時間の長短で、異なる動作をするように設定されている。例えば、何れかの指定スイッチを、予め設定された所定の基準時間（例えば２秒間）未満の短時間だけ押す（短押しする）と、現在の運用周波数が、前記指定スイッチに対応されている設定周波数範囲外である場合には、運用周波数を前記設定周波数範囲に関連付けられた指定周波数に変更して受信し、
前記指定スイッチを、前記基準時間以上の長時間押し続ける（長押しする）と、現在の運用周波数が前記設定周波数範囲内である場合のみ、周波数変更範囲の制限機能がオンとなり、運用周波数が前記設定周波数外のときにはオフになるようにして、長押しに運用周波数が追従して変更されない構成としてもよい。
また、現在の運用周波数が前記設定周波数外である場合に、前記指定スイッチを長押しすると、運用周波数を前記設定周波数範囲に関連付けされた指定周波数に変更した上で、周波数変更範囲の制限機能がオンとなるようにして、長押しに運用周波数が追従して変更される構成としてもよい。
【００５５】
以上のように、本発明によれば、指定された設定周波数範囲から逸脱することを気にすることなく自動的に制限した状態で、前記設定周波数範囲内の周波数変更の操作に集中することができるので、指定された設定周波数範囲内での周波数変更の操作性が向上するという効果が得られる。
また、広い運用可能周波数範囲を持っている無線通信機であっても、以前のモノバンド機のように、前記設定周波数範囲内の周波数変更の操作に集中することができる。
また、広い運用可能周波数範囲を持っている無線通信機で運用する場合であっても、特定の設定周波数範囲内での運用を好む使用者の要望にも対応できる。
また、特定の設定周波数範囲内での交信数を競うコンテスト用として適した操作性を得ることができる。
指定された設定周波数範囲からの逸脱を制限することができるので、意図する周波数範囲から逸脱した状態に気付かずに運用してしまうオフバンド運用を解消することにも適した機能を実現できる。
【００５６】
なお、
前記無線受信機１は特許請求の範囲に記載された無線通信装置に対応し、
前記制御部３は、特許請求の範囲に記載された設定手段、指示手段、指定手段、識別手段、および周波数変更範囲制限手段に対応し、
前記操作部４は、特許請求の範囲に記載された設定手段、指示手段、および指定手段に対応し、
前記記憶部５は、特許請求の範囲に記載された記憶手段に対応し、
前記メインダイヤル４１は、特許請求の範囲に記載された周波数変更手段に対応し、
前記アップスイッチ４３は、特許請求の範囲に記載された周波数変更手段に対応し、
前記ダウンスイッチ４４は、特許請求の範囲に記載された周波数変更手段に対応し、
前記設定スイッチ４６は、特許請求の範囲に記載された設定手段に対応し、
前記指示スイッチ４７は、特許請求の範囲に記載された指示手段に対応し、
前記指定スイッチ４８、４８１、４８２、４８３、４８４は、特許請求の範囲に記載された指定手段に対応する構成である。
本発明に係る無線通信装置は、前記無線受信機１のように受信機能に限って適用できるものではなく、送信機能に適用すれば、送信周波数が所定の設定周波数範囲から逸脱しないように制限できることは当然である。
【符号の説明】
【００５７】
１  広帯域の無線受信機、無線通信装置
３  制御部、設定手段、指示手段、指定手段、識別手段、周波数変更範囲制限手段
４  操作部４、設定手段、指示手段、指定手段
５  記憶部５、記憶手段
４１  メインダイヤル、周波数変更手段
４３  アップスイッチ、周波数変更手段
４４  ダウンスイッチ、周波数変更手段
４６  設定スイッチ、設定手段
４７  指示スイッチ、指示手段
４８、４８１、４８２、４８３、４８４  指定スイッチ、指定手段
【図１】
0005494335.tif 000002
【図２】
0005494335.tif 000003
【図３】
0005494335.tif 000004
【図４】
0005494335.tif 000005
【図５】
0005494335.tif 000006
【図６】
0005494335.tif 000007
【図７】
0005494335.tif 000008
【図８】
0005494335.tif 000009